(57)【特許請求の範囲】
【請求項１】
植生を育成するための土壌を収納する容器であって、その底部には水抜き穴が設けられ、その側面には互いに相接したときに接続可能な側面契合具が設けられ、かつ、その側面上縁部と底部には互いに上下に相接したときに接続可能な上下契合具が設けられ、当該上下契合具は側面上縁部全体に配置され、かつ、底部に十字形に配置され、本容器がその接続位置を水平方向にずらして接続可能とされた土壌収納容器。
【請求項２】
請求項1記載の土壌収納容器を、上下契合具を用いて、その接続位置を水平方向にずらして接続することで法面上にその法面の傾斜に沿って並べ、本容器中に土壌を収納することで法面上に、法面を緑化するための土壌を確保する法面緑化方法。
【発明の詳細な説明】
【０００１】
【発明の属する技術分野】
法面に植生を育成するための土壌を提供し、緑化する技術である。
【０００２】
【従来の技術】
道路や鉄道等の建設あるいは住宅開発に伴い、小山や丘部分を開削して、あるいは盛り土等することにより切り取った斜面(法面)や盛り土の法面の保護が必要とされる。かかる法面の保護工法としてコンクリートブロック張り工法、モルタル、コンクリート吹き付け工法等が知られている。これらの工法は、いずれも上記のような保護構造物でコンクリートやモルタルが剥き出しになるので、一見して無機質な景観を与える。このため、近年は法面の保護と緑化を図る工法が提案されている。
【０００３】
例えば、（１）コンクリート法枠内に植栽土壌等を収納させて緑化する方法、（２）水と肥料／種子等を混合した基盤材料を吹き付ける方法等がある。
上記（１）の方法は、法面の安定化のため、縦横に格子状に形成した法枠が法面上に敷き設される。
この法枠は、法面上に格子状に載置した型枠内にコンクリート又はモルタルを打設し法面を押圧してこれを安定化させるものである。また法面の緑化のため、法枠の各格子内部の裸地に客土を吹き付けたり、土嚢袋を敷いて植物が育成するための土壌を提供し緑化を図っている。
【０００４】
この法枠を形成する場合、型枠内にコンクリートを吹き付け等により打設する際、型枠からコンクリートのノロが漏れたり、型枠の周りにコンクリートのノロが飛散して地山に付着する。このようなノロが格子内の裸地上にあると、後から客土を吹き付けたりする場合、客土を不安定にしたり有効な客土量を減らし、植生の育成を妨げて緑化を阻害するため全てを取り除く必要がある。このため、従来、格子状法枠の各格子内部の緑化部にシートなどを引いて地山へのコンクリートノロの付着を防ぎ、コンクリート打設後にこのシートを撤去してシート上に飛び散ったノロを除去する清掃作業を行っている。
【０００５】
上記（２）の方法は、法面上に植生が育成していくために必要な肥料等を混合した土壌を吹き付け、その後土壌の保護のためネットなどで被覆するものである。
しかしながら、この工法では雨等による土壌の侵食流出を防止することは困難である。
【０００６】
【発明が解決しようとする課題】
本発明は、コンクリート法枠にあるような有効客土の確保のためのノロの清掃作業の必要性のない、基盤材料の吹き付け工法にある客土の侵食流出を防止する法面緑化方法の提案にある。
【０００７】
【課題を解決するための手段】
本第1の発明は、植生を育成するための土壌を収納する容器であって、その底部には水抜き穴が設けられ、その側面には互いに相接したときに接続可能な側面契合具が設けられ、かつ、その側面上縁部と底部には互いに上下に相接したときに接続可能な上下契合具が設けられ、当該上下契合具は側面上縁部全体に配置され、かつ、底部に十字形に配置され、本容器がその接続位置を水平方向にずらして接続可能とされた土壌収納容器である。
本第2の発明は、上記土壌収納容器を、上下契合具を用いて、その接続位置を水平方向にずらして接続し、法面上にその法面の傾斜に沿って並べ、本容器中に土壌を収納することで法面上に、法面を緑化するための土壌を確保する法面緑化方法である。
【０００８】
【発明の実施の形態】
本発明を図を用いて更に詳細に説明する。
本発明は、土壌を充填し得る容器を互いに接続しながら法面に沿って並べ、容器内に土壌を充填することで簡単に法面に植生を育成できる土壌を確保するものである。
【０００９】
図は、本発明に関わる土壌収納容器の概念図の一例である。
図１に示すように容器は略長方形を示し、その底部には水抜き穴が設けられ、植生を育成する土壌を収納できるようになっている。図１には示していないが、図７の例のように容器底部の水抜き穴を中心に放射状に切れ込みを入れることで、容器の材質が柔軟性のある材料から成形されている場合、容器内の植物の根が太く育った場合も切れ込みがあることにより水抜き穴が広がり植物の成長を妨げないようにすることも可能である。
【００１０】
土壌収納容器を法面に沿って、法面を覆うように左右上下に接続することで法面上に植生が育成できる土壌を確保する。
容器の横方向への接続は、例えば容器の長手方向側面に設けられた接続具でなされる。互いに相接したときに接続可能なように容器の一つの側面に雌部、他の側面には雄部の接続具を有していればよい。
【００１１】
図１では容器側面の一つの上縁部がスリット化され、他方の上縁部がこのスリットに契合可能な下方に垂れた帯で示されている。容器の横方向の接続は、この方法に限らず一つの側面に孔を設け、他方の側面にその孔に契合するような突起を設け、その突起を他方の孔に押し込むようなものであってもよい。また突起を挟み込むような契合方法であってもよい。
即ち、相接する側面が互いに接続可能なものであればその形式は問わない。
【００１２】
容器の上下方向への接続は、容器の側面上縁部と底部に設けた契合具でなされる。その好ましい接続方法を以下に説明する。下側に位置する容器の側面上縁部に設けた契合具が、互いに相接したときに、一体となって、上側に位置する容器の底面に設けた契合具と接続可能となるものである。図１には、容器側面後端上縁部に突起を設けた例を示している。また図２には、容器側面後端に設けた突起が、容器が互いにその側面で接することにより２つの突起が一体となって並んだ状態を示している。図３には、図２に示した２つの突起が一体となって並んだ状態で契合する容器底面中央に設けた溝を示している。この一体となった突起が容器底面の溝と契合することで、下側に２つ並んだ容器と上側の一つの容器が接続・固定される。
【００１３】
容器側面後端上縁部に設けた突起が、図２に示すように一体となるとき、突起が互いに接する面以外の３面にテーパ付きの隆起部を設けると同時に、容器底面中央に設けた溝部側面にこのテーパ付き隆起部が契合するようなスリットを設けて、容器相互の結合を強化することも可能である。
【００１４】
図４は、容器側面上縁部および後端部に同じ形式の契合具を設けた例を示している。図５は、図４に対応する契合具に対応する容器底面に設けた契合用の溝を示している。このような構成をとることで前述の場合よりも堅固な接続が可能となる。
【００１５】
図１から図５に例示した契合具は容器上縁部に設けた細長い突起とそれに対応する容器底部に設けた溝として表したが、図６、図７に示したように複数個の棒状の突起とそれに対応する複数の孔であってもよい。また棒状の突起とそれを挟みこむようなものであってもよい。また、容器上縁部に設けた孔と、容器底部に設けた突起であってもよい。容器が互いに上下に接続固定できる契合具であればよい。
【００１６】
容器上下の接続が下側２つと、上側一つがその底面中央で接続する例について説明したが、容器がその側面にテーパが設けられていないような略直方体の形状を有するものであれば、１つの下側の容器の上に１つの上側の容器をその長手方向の位置をずらして重ねることも可能となる。
【００１７】
また、契合具を容器上縁部全体に設けておいてもよい。全体に設けることにより上側の容器が下側の容器の長手方向の任意の位置で接続可能となる。任意の位置で接続可能とすることで法面の傾斜に応じて容器を重ねていくことが可能となる。即ち、法面の傾斜がきつい時は上側の容器を前方に移動させて接続し、傾斜がゆるいときは上側の容器を後方に移動させて接続させればよい。
【００１８】
また、容器の長手方向の長さと幅の長さの比を整数比例えば２：１とすることで、容器を長手方向に重ねることばかりでなく、必要に応じて長手方向に直角の方向に重ねることも可能となり、法面に沿って並べるときにその並べ方に柔軟性を与えることができる。
【００１９】
このように構成した容器を法面に沿って下から順次積み上げていくと図８に示すように法面を緑化する基盤が作成できる。容器に植生を育成する土壌、肥料、種子および植物を植え込むことで法面の緑化が図られる。
【００２０】
容器の大きさ、材質は法面の大きさ、傾斜、育成しようとする植生、機械で敷設あるいは人手で敷設するか等を考慮して適宜選択することができる。微生物によって分解される木製、生分解性プラスチック等を使用することも可能である。
【００２１】
また土壌を入れた状態で法面に沿って組み上げることも、組み上げてから土壌を容器に充填することも適宜選択できる。容器を一段ごと敷き設した時点で土壌を充填し、次の段を敷き設して土壌を充填することを繰り返す方法で実施することが好ましい。
【００２２】
【発明の効果】
本発明の土壌収納容器は、その側面上縁部と底部には互いに上下に相接したときに接続可能な上下契合具が設けられ、当該上下契合具は側面上縁部全体に配置され、かつ、底部に十字形に配置されているため、その接続位置を水平方向にずらして接続可能である。そのため、法面の傾斜に沿って接続・敷き設できる。その容器に土壌を収納するためコンクリートの枠を打設する方法に必要とされる清掃作業の必要がなく、土壌が容器に収納されることから、土壌の侵食・流出も防止できる。更にプラスチックのような軽量な材料で製造された容器を使用すれば、特別な訓練を必要とせず簡単に敷き設することができる。
【図面の簡単な説明】
【図１】本発明の容器の一例を示す。
【図２】下側の容器がその側面で相接しているときの契合具の概念図である。
【図３】容器の底面に設けられた契合具の概念図である。
【図４】容器の側面上部に設けられた他の契合具の概念図である。
【図５】容器の底面に設けられた図４に対応する契合具の概念図である。
【図６】容器の側面上縁部全体に契合具を設けた概念図である。
【図７】容器の底面に設けられた図６に対応する契合具の概念図である。
【図８】容器を法面に沿って組み上げた状態を示す概念図である。
【符号の説明】
１    容器
１１  突起
１２  溝部
１３  雄部
１４  雌部
２    法面
【図１】
0004460125.tif 000002
【図２】
0004460125.tif 000003
【図３】
0004460125.tif 000004
【図４】
0004460125.tif 000005
【図５】
0004460125.tif 000006
【図６】
0004460125.tif 000007
【図７】
0004460125.tif 000008
【図８】
0004460125.tif 000009